(57)【要約】      （修正有）【課題】組立調整部分を少なくして構造を簡易化し、接触の安定化を図ったリレーを提供する。【解決手段】コイルユニット１、及び該コイルユニットの一側に設けられるスイッチユニット２を包含し、該スイッチユニットは、サポートフレーム２１と、該サポートフレームに凸設された第１固定接点２１１と、該サポートフレームの一側に挿入され且つ一端が該コイルユニットより突出する固定接点端子と、該固定接点端子上に凸設された第２固定接点２２１と、該サポートフレームと該固定接点端子の間に挿入され、可動側となる中弾性片２３と、該中弾性片の両面に凸設され且つそれぞれ第１固定接点、第２固定接点に接触可能な弾性接点２３１と、を包含する。【選択図】図３
0003161620.tif 000002
【実用新案登録請求の範囲】
【請求項１】
リレーにおいて、
コイルユニットと、
該コイルユニットの一側に設けられたスイッチユニットであって、該コイルユニットに挿入されたサポートフレームと、該サポートフレームに凸設された第１固定接点と、該サポートフレームの一側に挿入され且つ一端が該コイルユニットより突出する固定接点端子と、該固定接点端子上に凸設された第２固定接点と、該サポートフレームと該固定接点端子の間に挿入された中弾性片と、該中弾性片の両面に凸設され且つそれぞれ第１固定接点、第２固定接点に接触可能な弾性接点と、を包含する上記スイッチユニットと、
を包含したことを特徴とする、リレー。
【請求項２】
請求項１記載のリレーにおいて、該コイルユニットは、フレームと、該フレーム内に置かれた鉄心と、該フレームに巻回され且つコイル端子と接続されたエナメル線を有し、該鉄心の一端面は該フレームの上端において露出することを特徴とする、リレー。
【請求項３】
請求項１記載のリレーにおいて、該中弾性片は折り曲げられて該弾性接点に結合される中央弾性片が形成され、該中弾性片の一側に、該サポートフレームの端縁に可動に当接し且つ該コイルユニットの上端に対応する磁極が接続されたことを特徴とする、リレー。
【考案の詳細な説明】
【技術分野】
【０００１】
本考案は一種のリレーに係り、特に構造を簡易化し且つ各接点の間距を安定させられ、並びに調整空間が広く、接触が敏感であり、生産効率が高く、材料を節約し製造コストを下げる長所を有するものに関する。
【背景技術】
【０００２】
一般の周知のリレーは図４に示されるように、ベース３、スイッチ部４、磁極部品５、挿入片６及びカバー７を包含する。該スイッチ部４は前固定接点４１と弾性接点４２を包含し、それはそれぞれベース３に挿入されて端子ピンがベース３の底面より露出させられ、並びに弾性接点４２と前固定接点４１の間に常開状態の接点が形成される。該磁極部品５はベース３に取付けられ、それはフレーム５１にコイル５２を巻回し、且つフレーム５１内に鉄心５３を置き、別にフレーム５１の上端に磁極５４を接続してなる。コイル５２の二端に電流が流される時、磁極５４は鉄心５３の吸引を受けてその端に向けて動作する。該挿入片６は絶縁材料で形成され、並びにその前後両端がそれぞれスイッチ部４の弾性接点４２と磁極部品５の磁極５４の間に支持される。該カバー７はベース３と閉じ合わされた後、完全にスイッチ部４、磁極部品５及び挿入片６を封じる。
【０００３】
上述の全体の構造は複雑であり、且つ弾性接点４２は挿入片６により押動される必要があり、これにより動作上もまた比較的複雑となる。このほか磁極部品５をベース３に取り付けた後、すなわち一体に固定されて調整のための余分の空間がなく、ゆえに、各生産フローと部品サイズはいずれも厳格に制御管理され並びに正確でなければならず、そうでなければ、磁極部品５が動作時に、移動量不足により接触不良が起こりやすくなり、品質が不安定となり、材料の損耗とコストの増加をもたらす。
【考案の概要】
【考案が解決しようとする課題】
【０００４】
本考案の主要な目的は、上述の周知の技術の欠点を排除し、サポートフレーム上の第１固定接点に固定接点端子上の第２固定接点を組み合わせることにより、中弾性片の弾性接点をその間で動作させ、これにより構造を簡易化し且つ各接点の間距を安定させ、並びに調整空間を拡げ、接触を敏感とし、生産効率を高め、材料を節約し及びコストダウンする長所を達成することにある。
【課題を解決するための手段】
【０００５】
上述の目的を達成するため、本考案は一種のリレーを提供し、それは、コイルユニット、及び該コイルユニットの一側に設けられるスイッチユニットを包含し、該スイッチユニットは、サポートフレームと、該サポートフレームに凸設された第１固定接点と、該サポートフレームの一側に挿入され且つ一端が該コイルユニットより突出する固定接点端子と、該固定接点端子上に凸設された第２固定接点と、該サポートフレームと該固定接点端子の間に挿入された中弾性片と、該中弾性片の両面に凸設され且つそれぞれ第１固定接点、第２固定接点に接触可能な弾性接点と、を包含する。
【考案の効果】
【０００６】
総合すると、本考案のリレーは確実に周知の構造の欠点を改良し、サポートフレーム上の第１固定接点に固定接点端子の第２固定接点が組み合わされて、中弾性片の弾性接点がその間で動作することにより、構造が簡易化され且つ各接点の間距が安定して維持され、並びに調整空間が広く、接触が敏感で、生産効率が高く、材料を節約でき、コストを減らせる長所を有する。ゆえに、本考案は進歩性、実用性を有し且つ使用者の要求に符合し、実用新案登録の要件を具備する。
【図面の簡単な説明】
【０００７】
【図１】本考案の立体透視図である。
【図２】本考案の立体分解図である。
【図３】本考案の図１のＡ−Ａ断面図である。
【図４】周知の技術の断面図である。
【考案を実施するための形態】
【０００８】
図１、図２、及び図３を参照されたい。これらは本考案の立体透視図、本考案の立体分解図、及び本考案の図１のＡ−Ａ断面図である。これらの図に示されるように、本考案のリレーは、コイルユニット１、及びスイッチユニット２で構成される。
【０００９】
上述のコイルユニット１は底座１１、該底座１１に取り付けられたコイル１２、コイル１２に接続され且つ底座１１より延伸されたコイル端子１３、及び底座１１上を被覆し且つ少なくともコイル１２を封じるカバー１４を包含する。そのうち、該コイル１２は、フレーム１２１、フレーム１２１内に置かれた鉄心１２２、フレーム１２１に巻かれて且つコイル端子１３に接続されたエナメル線１２３を包含し、該鉄心１２２の一端面はフレーム１２１の上端において露出している。
【００１０】
該スイッチユニット２はコイル１２の一側に設けられ、且つカバー１４内に収容され、それは、底座１１に挿入されるサポートフレーム２１、該サポートフレーム２１に凸設された第１固定接点２１１、該サポートフレーム２１の一側に挿入され且つ一端が底座１１より延伸された固定接点端子２２、該固定接点端子２２に凸設された第２固定接点２２１、該サポートフレーム２１と該固定接点端子２２の間に挿入された中弾性片２３、及び、中弾性片２３の両面に凸設され且つそれぞれ第１固定接点２１１、第２固定接点２２１に接触可能な弾性接点２３１を包含する。そのうち、該中弾性片２３は折り曲げられて、弾性接点２３１との結合に用いられる中央弾性片２３２が設けられ、該中弾性片２３の一側には、可動にサポートフレーム２１の端縁に当接し且つコイル１２の上端に露出した鉄心１２２端面に対応する磁極２３３が接続されている。以上の構造が組み合わされて新規なリレーが形成される。
【００１１】
本考案を運用する時は、コイルユニット１のコイル端子１３、及びスイッチユニット２の固定接点端子２２と関係する電子部品を電気的に接続し（図示せず）、並びに電流を導入すると、中弾性片２３の一側の磁極２３３とコイル１２の鉄心１２２が相互に組み合わされ、電磁方式により中央弾性片２３２上の弾性接点２３１とサポートフレーム２１上の第１固定接点２１１或いは固定接点端子２２上の第２固定接点２２１が接触し、これにより導通と切断の開閉動作を形成する。本考案はサポートフレーム２１に第１固定接点２１１が凸設され、且つ底座１１とコイル１２が一体に合併され、これにより周知の挿入片が省略され、構造が簡易化されているのみならず、弾性接点２３１と第１固定接点２１１と第２固定接点２２１の動作間距が安定する。
【００１２】
以上の説明は、本考案の好ましい実施例に係るものであって、本考案の実施範囲を限定するものではなく、本考案の実用新案登録請求の範囲及び明細書及び図面に記載の内容に基づきなし得る同等の効果を達成する変化及び修飾は、本考案のカバーする範囲内に属する。
【符号の説明】
【００１３】
１  コイルユニット            １１  底座
１２  コイル                  １２１  フレーム
１２２  鉄心                  １２３  エナメル線
１３  コイル端子              １４  カバー
２  スイッチユニット          ２１  サポートフレーム
２１１  第１固定接点          ２２  固定接点端子
２２１  第２固定接点          ２３  中弾性片
２３１  弾性接点              ２３２  中央弾性片
２３３  磁極
３  ベース                    ４  スイッチ部
４１  前固定接点              ４２  弾性接点
５  磁極部品                  ５１  フレーム
５２  コイル                  ５３  鉄心
５４  磁極                    ６  挿入片
７  カバー
【図１】
0003161620.tif 000003
【図２】
0003161620.tif 000004
【図３】
0003161620.tif 000005
【図４】
0003161620.tif 000006